(57)【要約】【課題】  煩雑な作業を行うことなく、ＢＳディジタル放送等の視聴制限のある有料放送を視聴可能な有料放送課金システムを提供する。【解決手段】  ＴＶ受信機２はコード画像生成機能２２にてＢ−ＣＡＳカード２３に記録された有料放送契約者情報、指定された有料チャネル等の情報を画像コードに変換し、スクリーン２１に表示する。携帯電話機１はカメラデバイス１３にてスクリーン２１に表示されている画像コードを読取り、その画像コードから取得したデータをＪａｖａ（Ｒ）アプリケーション１２のＨＴＴＰ通信機能を用いて放送局（課金センタ）３に視聴要求として送信する。放送局（課金センタ）３は視聴者を判断し、有料チャネルの情報から番組料金を判断し、対象の視聴者に課金し、視聴のための情報を生成して携帯電話機１に返信する。携帯電話機１は視聴のための情報を赤外線発光ＬＥＤ１４にてＴＶ受信機２に送信する。【選択図】      図２                                                  
2005117356.tif 000002
【特許請求の範囲】
【請求項１】
放送局からの有料放送を特定視聴者のテレビ受信機に表示する際の課金を課金センタにて行う有料放送課金システムであって、
前記テレビ受信機を操作する操作情報を送出する操作情報送出機能と、各種情報を示す画像コードを認識するコード認識機能とを含む携帯無線端末と、
前記テレビ受信機に設けられかつ少なくとも前記特定視聴者の情報を前記テレビ受信機に前記画像コードとして表示する手段とを有し、
前記テレビ受信機に表示された前記画像コードの情報を前記携帯無線端末の前記コード認識機能にて読取って復元した後に前記課金センタに送信することを特徴とする有料放送課金システム。
【請求項２】
前記携帯無線端末は、前記コード認識機能にて読取って復元した前記画像コードの情報を前記課金センタに無線にて送信することを特徴とする請求項１記載の有料放送課金システム。
【請求項３】
前記課金センタで前記携帯無線端末からの前記画像コードの情報を基に課金が行われた後に前記放送局からの前記有料放送を視聴するための情報を前記携帯無線端末の操作情報送出機能にて前記テレビ受信機に送出することを特徴とする請求項１または請求項２記載の有料放送課金システム。
【請求項４】
前記課金センタで前記携帯無線端末からの前記画像コードの情報を基に課金が行われた後に前記放送局にて前記テレビ受信機への前記有料放送の変調を解除することを特徴とする請求項１または請求項２記載の有料放送課金システム。
【請求項５】
前記操作情報送出機能は、赤外線リモートコントロール機能であることを特徴とする請求項１から請求項４のいずれか記載の有料放送課金システム。
【請求項６】
前記コード認識機能は、少なくとも撮像素子を含むことを特徴とする請求項１から請求項５のいずれか記載の有料放送課金システム。
【請求項７】
前記コード認識機能は、前記撮像素子を含むディジタルカメラデバイスであることを特徴とする請求項６記載の有料放送課金システム。
【請求項８】
放送局からの有料放送を特定視聴者のテレビ受信機に表示する際の課金を課金センタにて行う有料放送課金システムに用いられ、前記テレビ受信機を操作する操作情報を送出する操作情報送出機能と、各種情報を示す画像コードを認識するコード認識機能とを含む携帯無線端末であって、
前記テレビ受信機に表示された前記画像コードの情報を前記コード認識機能にて読取って復元した後に前記課金センタに送信することを特徴とする携帯無線端末。
【請求項９】
前記コード認識機能にて読取って復元した前記画像コードの情報を前記課金センタに無線にて送信することを特徴とする請求項８記載の携帯無線端末。
【請求項１０】
前記操作情報送出機能は、赤外線リモートコントロール機能であることを特徴とする請求項８または請求項９記載の携帯無線端末。
【請求項１１】
前記コード認識機能は、少なくとも撮像素子を含むことを特徴とする請求項８から請求項１０のいずれか記載の携帯無線端末。
【請求項１２】
前記コード認識機能は、前記撮像素子を含むディジタルカメラデバイスであることを特徴とする請求項１１記載の携帯無線端末。
【請求項１３】
放送局からの特定視聴者向けの有料放送を表示する際に課金センタにて課金が行われるテレビ受信機であって、
少なくとも前記特定視聴者の情報を各種情報を示す画像コードとして表示する手段を有し、
その表示された前記画像コードが前記携帯無線端末の前記画像コードを認識するコード認識機能にて読取られた後に前記課金センタに送信されることを特徴とするテレビ受信機。
【請求項１４】
前記携帯無線端末が、前記コード認識機能にて読取って復元した前記画像コードの情報を前記課金センタに無線にて送信することを特徴とする請求項１３記載のテレビ受信機。
【請求項１５】
自機を操作する操作情報を送出する前記携帯無線端末の操作情報送出機能から送出されかつ前記携帯無線端末からの前記画像コードの情報を基に前記課金センタで課金が行われた後に前記放送局からの前記有料放送を視聴するための情報を基に前記有料放送を表示することを特徴とする請求項１３または請求項１４記載のテレビ受信機。
【請求項１６】
前記携帯無線端末からの前記画像コードの情報を基に前記課金センタで課金が行われた後に前記放送局にて変調が解除された前記有料放送を受信することを特徴とする請求項１３または請求項１４記載のテレビ受信機。
【請求項１７】
放送局からの有料放送を特定視聴者のテレビ受信機に表示する際の課金を課金センタにて行い、前記テレビ受信機を操作する操作情報を送出する操作情報送出機能と、各種情報を示す画像コードを認識するコード認識機能とを備えた携帯無線端末を含む有料放送課金システムの有料放送課金方法であって、前記携帯無線端末側に、少なくとも前記特定視聴者の情報が前記テレビ受信機に前記画像コードとして表示された時にその画像コードの情報を読取って復元した後に前記課金センタに送信するステップを有することを特徴とする有料放送課金方法。
【請求項１８】
前記携帯無線端末が、前記コード認識機能にて読取って復元した前記画像コードの情報を前記課金センタに無線にて送信することを特徴とする請求項１７記載の有料放送課金方法。
【請求項１９】
前記携帯無線端末側に、前記課金センタで前記画像コードの情報を基に課金が行われた後に送出されかつ前記放送局からの前記有料放送を視聴するための情報を前記操作情報送出機能にて前記テレビ受信機に送出するステップを含むことを特徴とする請求項１７または請求項１８記載の有料放送課金方法。
【請求項２０】
前記課金センタで前記画像コードの情報を基に課金が行われた後に前記放送局にて前記テレビ受信機への前記有料放送の変調を解除することを特徴とする請求項１７または請求項１８記載の有料放送課金方法。
【請求項２１】
前記操作情報送出機能が、赤外線リモートコントロール機能であることを特徴とする請求項１７から請求項２０のいずれか記載の有料放送課金方法。
【請求項２２】
前記コード認識機能が、少なくとも撮像素子を含むことを特徴とする請求項１７から請求項２１のいずれか記載の有料放送課金方法。
【請求項２３】
前記コード認識機能が、前記撮像素子を含むディジタルカメラデバイスであることを特徴とする請求項２２記載の有料放送課金方法。
【請求項２４】
放送局からの有料放送を特定視聴者のテレビ受信機に表示する際の課金を課金センタにて行い、前記テレビ受信機を操作する操作情報を送出する操作情報送出機能と、各種情報を示す画像コードを認識するコード認識機能とを備えた携帯無線端末を含む有料放送課金システムの有料放送課金方法のプログラムであって、前記携帯無線端末のコンピュータに、少なくとも前記特定視聴者の情報が前記テレビ受信機に前記画像コードとして表示された時にその画像コードの情報を読取って復元した後に前記課金センタに送信する処理を実行させるためのプログラム。
【発明の詳細な説明】
【技術分野】
【０００１】
本発明は有料放送課金システム、携帯電話機、テレビ受信機及びそれらに用いる有料放送課金方法並びにそのプログラムに関し、特にＢＳ（Ｂｒｏａｄｃａｓｔｉｎｇ  Ｓａｔｅｌｌｉｔｅ）ディジタル等の有料放送における課金方法に関する。
【背景技術】
【０００２】
従来、ＢＳディジタル等の有料放送においては、特定の視聴者のみが視聴できるように、放送局から放送される放送信号（衛星放送）にスクランブルをかけることで限定受信を行っている。
【０００３】
この種の限定受信システム（Ｂ−ＣＡＳ：Ｂｒｏａｄｃａｓｔｉｎｇ−Ｃｏｎｄｉｔｉｏｎａｌ  Ａｃｃｅｓｓ  Ｓｙｓｔｅｍ）では、図８に示すように、ＴＶ（テレビ）受信機４が放送局（課金センタ）５からの無線放送（衛星放送）を受信することで、ＴＶ受信機４にて放送局（課金センタ）５が提供する番組が視聴可能となっている。
【０００４】
また、ＴＶ受信機４と放送局（課金センタ）５との間は一般電話回線（有線）にて接続されており、ＴＶ受信機４はその一般電話回線を使用して視聴記録を放送局（課金センタ）５に送信している。
【０００５】
【特許文献１】特開平８−５６３４８号公報
【発明の開示】
【発明が解決しようとする課題】
【０００６】
上述した従来の受信制限システムでは、上記のような構成をとっているので、ＴＶ受信機を一般電話回線（有線）に接続しない限り、放送局からの有料放送を受信することができないという問題がある。
【０００７】
また、従来の受信制限システムでは、有料放送を受信するために、上記のように、ＴＶ受信機を一般電話回線（有線）に接続しなければならず、一般電話回線（有線）ケーブルをＴＶ受信機まで引き回す必要があり、ＴＶ受信機の設置場所が限定されたり、一般電話回線（有線）の配線が必要になる等の煩雑な作業を行わなければならないという問題がある。
【０００８】
そこで、本発明の目的は上記の問題点を解消し、煩雑な作業を行うことなく、ＢＳディジタル放送等の視聴制限のある有料放送を視聴することができる有料放送課金システム、携帯電話機、テレビ受信機及びそれらに用いる有料放送課金方法並びにそのプログラムを提供することにある。
【課題を解決するための手段】
【０００９】
本発明による有料放送課金システムは、放送局からの有料放送を特定視聴者のテレビ受信機に表示する際の課金を課金センタにて行う有料放送課金システムであって、
前記テレビ受信機を操作する操作情報を送出する操作情報送出機能と、各種情報を示す画像コードを認識するコード認識機能とを含む携帯無線端末と、
前記テレビ受信機に設けられかつ少なくとも前記特定視聴者の情報を前記テレビ受信機に前記画像コードとして表示する手段とを備え、
前記テレビ受信機に表示された前記画像コードの情報を前記携帯無線端末の前記コード認識機能にて読取って復元した後に前記課金センタに送信している。
【００１０】
本発明による携帯電話機は、放送局からの有料放送を特定視聴者のテレビ受信機に表示する際の課金を課金センタにて行う有料放送課金システムに用いられ、前記テレビ受信機を操作する操作情報を送出する操作情報送出機能と、各種情報を示す画像コードを認識するコード認識機能とを含む携帯無線端末であって、
前記テレビ受信機に表示された前記画像コードの情報を前記コード認識機能にて読取って復元した後に前記課金センタに送信している。
【００１１】
本発明によるテレビ受信機は、放送局からの特定視聴者向けの有料放送を表示する際に課金センタにて課金が行われるテレビ受信機であって、
少なくとも前記特定視聴者の情報を各種情報を示す画像コードとして表示する手段を備え、
その表示された前記画像コードが前記携帯無線端末の前記画像コードを認識するコード認識機能にて読取られた後に前記課金センタに送信されている。
【００１２】
本発明による有料放送課金方法は、放送局からの有料放送を特定視聴者のテレビ受信機に表示する際の課金を課金センタにて行い、前記テレビ受信機を操作する操作情報を送出する操作情報送出機能と、各種情報を示す画像コードを認識するコード認識機能とを備えた携帯無線端末を含む有料放送課金システムの有料放送課金方法であって、前記携帯無線端末側に、少なくとも前記特定視聴者の情報が前記テレビ受信機に前記画像コードとして表示された時にその画像コードの情報を読取って復元した後に前記課金センタに送信するステップを備えている。
【００１３】
本発明による有料放送課金方法のプログラムは、放送局からの有料放送を特定視聴者のテレビ受信機に表示する際の課金を課金センタにて行い、前記テレビ受信機を操作する操作情報を送出する操作情報送出機能と、各種情報を示す画像コードを認識するコード認識機能とを備えた携帯無線端末を含む有料放送課金システムの有料放送課金方法のプログラムであって、前記携帯無線端末のコンピュータに、少なくとも前記特定視聴者の情報が前記テレビ受信機に前記画像コードとして表示された時にその画像コードの情報を読取って復元した後に前記課金センタに送信する処理を実行させている。
【００１４】
すなわち、本発明の有料放送課金システムは、ＢＳ（Ｂｒｏａｄｃａｓｔｉｎｇ  Ｓａｔｅｌｌｉｔｅ）ディジタル放送等の限定受信システム（Ｂ−ＣＡＳ：Ｂｒｏａｄｃａｓｔｉｎｇ−Ｃｏｎｄｉｔｉｏｎａｌ  Ａｃｃｅｓｓ  Ｓｙｓｔｅｍ）における有料放送番組の視聴において、一般電話回線（有線）を使用することなく、携帯電話機が持つ赤外線リモ−トコントロール（以下、リモコンとする）機能及びコード認識機能（もしくは、カメラ機能）を利用し、ワイヤレスに視聴要求の放送局への送信と放送局からの視聴許可情報の受信とを行い、有料放送番組を視聴（購入）することを特徴としている。
【００１５】
本発明の有料放送課金システムでは、携帯電話機に搭載された赤外線リモコン機能によって有料放送番組へのチャネル切替要求が行われると、テレビ受信機にセットされているＢ−ＣＡＳ（ＢＳディジタル放送の限定受信システム）カード等に記録されている有料放送契約者情報とチャネル番号とを暗号化し、画像コードとしてテレビ受信機のスクリーンに表示させている。
【００１６】
テレビ受信機のスクリーンに表示された画像コードは、携帯電話機に搭載されたコード認識機能によって読取られ、この読取られた情報は放送局（もしくは課金センタ）に視聴要求として携帯電話機から送信される。
【００１７】
視聴要求を受信した放送局（もしくは課金センタ）は、視聴のための情報を携帯電話機に返信し、携帯電話機はその視聴のための情報を、赤外線リモコン機能を使用してテレビ受信機に送り返す。テレビ受信機は携帯電話機から送り返された視聴のための情報を受信することで、有料放送番組の表示が許可される。
【００１８】
これによって、本発明の有料放送課金システムでは、テレビ受信機のスクリーン上に表示された画像コードを携帯電話機で読取り、その画像コードを携帯電話機から放送局（課金センタ）に送信して放送局（課金センタ）から視聴のための情報を取得し、その情報を赤外線リモコン機能を利用してワイヤレスにテレビ受信機に返信しているので、ＢＳディジタル放送等の視聴制限のある有料放送について、ワイヤレスに視聴要求を送信し、視聴のための情報を得ることで、一般電話回線（有線）に接続することなく、有料放送番組を視聴することが可能となる。
【００１９】
また、本発明の有料放送課金システムでは、新たに一般電話回線やＨ／Ｗ（ハードウェア）を必要とせず、携帯電話機にてテレビ受信機と放送局（課金センタ）との仲介を行っているので、既存のシステムに物理的な変更を加えずに、ソフトウェアの変更のみで有料放送の課金システムに対応することが可能となる。
【００２０】
具体的に説明すると、本発明の有料放送課金システムでは、携帯電話機の赤外線リモコン機能を使用して携帯電話機からテレビ受信機への情報の伝達を行い、テレビ受信機に表示される画像コードを携帯電話機のコード認識機能を利用して読取ってテレビ受信機から携帯電話機への情報の伝達を行い、双方向通信であるＨＴＴＰ（Ｈｙｐｅｒ  Ｔｅｘｔ  Ｔｒａｎｓｆｅｒ  Ｐｒｏｔｏｃｏｌ）通信機能を利用して携帯電話機と放送局との間の情報の伝達を行っている。
【００２１】
これによって、本発明の有料放送課金システムでは、既存のシステムに物理的な変更を加えずに、ソフトウェアの変更のみで有料放送の課金システムに対応することが可能となる。
【発明の効果】
【００２２】
本発明は、以下に述べるような構成及び動作とすることで、一般電話回線（有線）に接続することなく、有料放送番組を視聴することができるという効果が得られる。
【発明を実施するための最良の形態】
【００２３】
次に、本発明の実施例について図面を参照して説明する。図１は本発明の一実施例による有料放送課金システムの構成を示すブロック図である。図１において、本発明の一実施例による有料放送課金システムは携帯電話機１と、ＴＶ（テレビ）受信機２と、放送局（課金センタを含む）３とから構成されている。尚、本実施例は、携帯電話機１の代わりに、無線にてデータ送受信可能なＰＤＡ（Ｐｅｒｓｏｎａｌ  Ｄｉｇｉｔａｌ  Ａｓｓｉｓｔａｎｔ）等の携帯無線端末装置を用いることも可能である。
【００２４】
本発明の一実施例による有料放送課金システムでは、携帯電話機１の赤外線リモ−トコントロール（以下、リモコンとする）機能を使用して携帯電話機１からＴＶ受信機２への情報の伝達を行い、ＴＶ受信機２に表示される画像コードを携帯電話機１のコード認識機能を利用して読取ってテレビ受信機から携帯電話機への情報の伝達を行っている。また、携帯電話機１と放送局２との間では、双方向通信であるＨＴＴＰ（Ｈｙｐｅｒ  Ｔｅｘｔ  Ｔｒａｎｓｆｅｒ  Ｐｒｏｔｏｃｏｌ）通信機能を利用して情報の伝達を行っている。
【００２５】
図２は図１の携帯電話機１及びＴＶ受信機２の構成を示すブロック図である。図２において、携帯電話機１は、既存のプラットフォーム１１と、プラットフォーム１１上で動作するＪａｖａ（Ｒ）アプリケーション１２と、プラットフォーム１１を介してＪａｖａ（Ｒ）アプリケーション１２から制御されるカメラデバイス（コード認識機能）１３と、プラットフォーム１１を介してＪａｖａ（Ｒ）アプリケーション１２から制御される赤外線発光ＬＥＤ（Ｌｉｇｈｔ  Ｅｍｉｔｔｉｎｇ  Ｄｉｏｄｅ）（赤外線リモコン機能）１４とから構成されている。
【００２６】
プラットフォーム１１は携帯電話機１に備わる基本機能であり、図示せぬ無線デバイスや表示デバイス、及びキー入力デバイス等の制御を行うとともに、カメラデバイス１３や赤外線発光ＬＥＤ１４の制御を行う。
【００２７】
Ｊａｖａ（Ｒ）アプリケーション１２はプラットフォーム１１上で動作するＪａｖａ（Ｒ）プログラムであり、プラットフォーム１１を介してカメラデバイス１３を起動してコード認識を行う。また、Ｊａｖａ（Ｒ）アプリケーション１２はプラットフォーム１１を介して赤外線発光ＬＥＤ１４を発光させて赤外線リモコン信号の送信、ＨＴＴＰを使用してＷＥＢ上のサーバ（図示せず）との交信を行う。
【００２８】
カメラデバイス１３は携帯電話機１に備わっているコード認識機能であり、画像コードの読取りと、読取った画像コードからデータの復元を行う。赤外線発光ＬＥＤ１４は赤外線発光デバイスであり、テレビ等の家庭電気製品に各種のコマンドを送信するためのデバイスである。これらのデバイス等は既存の携帯電話機１に備わる機能であり、その仕組みについては周知のため、それらの詳細な説明は省略する。
【００２９】
ＴＶ受信機２は従来から搭載されている放送内容を表示するスクリーン２１と、Ｂ−ＣＡＳ（Ｂｒｏａｄｃａｓｔｉｎｇ−Ｃｏｎｄｉｔｉｏｎａｌ  Ａｃｃｅｓｓ  Ｓｙｓｔｅｍ）［ＢＳ（Ｂｒｏａｄｃａｓｔｉｎｇ  Ｓａｔｅｌｌｉｔｅ）ディジタル放送等の限定受信システム］カード等の有料放送加入者の情報を記憶しているデータベース（以下、Ｂ−ＣＡＳカードとする）２３と、赤外線リモコン受光部２４とを既存の装置として備え、新たにＢ−ＣＡＳカード２３の情報を画像コード［例えば、ＱＲ（Ｑｕｉｃｋ  Ｒｅｓｐｏｎｓｗ）コード、一次元バーコード、二次元バーコード等の画像コード］に変換してスクリーン２１に映し出すコード画像生成機能２２を有している。
【００３０】
スクリーン２１はテレビジョンのスクリーンであり、放送番組内容やコード画像生成機能２２によって生成された有料放送加入者情報等の画像コードを表示する。コード画像生成機能２２はＢ−ＣＡＳカード２３に記録された有料放送加入者情報と、購入する番組の情報とを暗号化してＱＲコード、一次元バーコード、二次元バーコード等の画像コードに変換し、スクリーン２１に表示する。
【００３１】
Ｂ−ＣＡＳカード２３はＢ−ＣＡＳカード等の有料放送加入者の情報を記憶しているデータベースである。赤外線リモコン受光部２４はチャネル切替えや音量調整等の赤外線リモコンのコマンドを受信する受光部である。
【００３２】
図３は本発明の一実施例による有料放送課金システムの動作を示すシーケンスチャートである。これら図１〜図３を参照して本発明の一実施例による有料放送課金システムの動作について説明する。以下に述べる動作は、あらゆる汎用性を持たせるために、プラットフォーム１１（コンピュータ）上においてＪａｖａ（Ｒ）アプリケーション１２（プログラム）を実行させて実現することができる。
【００３３】
まず、携帯電話機１は赤外線発光ＬＥＤ１４にて有料チャネルの表示命令をＴＶ受信機２に対して行う（図３のａ１，ａ２）。ＴＶ受信機２は赤外線リモコン受光部２４にて有料チャネルの表示命令を受信すると、コード画像生成機能２２にてＢ−ＣＡＳカード２３に記録された有料放送契約者情報、指定された有料チャネル等の情報をＱＲコード、一次元バーコード、二次元バーコード等の画像コードに変換し、スクリーン２１に表示する（図３のａ３）。
【００３４】
携帯電話機１はカメラデバイス１３を起動し、カメラデバイス１３にてスクリーン２１に表示されている画像コードを読取る（図３のａ４，ａ５）。携帯電話機１はカメラデバイス１３で読取った画像コードから、有料放送契約者情報、指定された有料チャネル等の情報を含んでいるバイナリのデータを取得する。このバイナリデータはＪａｖａ（Ｒ）アプリケーション１２のＨＴＴＰ通信機能を用いて放送局（課金センタ）３に視聴要求として送信する（図３のａ６，ａ７）。
【００３５】
放送局（課金センタ）３は視聴要求を受信すると、有料放送契約者情報から視聴者を判断し、有料チャネルの情報から番組料金を判断し、対象の視聴者に課金する（図３のａ８）。その課金後、放送局（課金センタ）３は視聴のための情報を生成し（図３のａ９）、その視聴のための情報をＨＴＴＰ通信にて携帯電話機１に返信する（図３のａ１０）。
【００３６】
携帯電話機１は視聴のための情報を取得すると、この視聴のための情報を赤外線発光ＬＥＤ１４にてＴＶ受信機２に送信する（図３のａ１２，ａ１３）。ＴＶ受信機２は視聴のための情報を受信すると、有料チャネル［放送局（課金センタ）３からの無線放送の画像等］を表示する（図３のａ１４）。
【００３７】
図４は図１の携帯電話機１の動作を示すフローチャートである。これら図１と図２と図４とを参照して携帯電話機１の動作について説明する。図４に示す動作はプラットフォーム１１（コンピュータ）上においてＪａｖａ（Ｒ）アプリケーション１２（プログラム）を実行させて実現することができる。
【００３８】
携帯電話機機１は有料チャネルの表示を命令したかを判定し（図４ステップＳ１）、有料チャネル表示を命令していないと判定すると、動作を終了する。また、携帯電話機機１は有料チャネルの表示を命令したと判定すると、カメラデバイス１３を起動し、カメラデバイス１３にてスクリーン２１に表示されている画像コードを読取り、バイナリデータとして取得する（図４ステップＳ２）。
【００３９】
その後、携帯電話機機１は上記のコード認識にてバイナリデータを取得し、ＨＴＴＰ通信を利用して放送局（課金センタ）３に視聴要求としてバイナリデータを送信する（図４ステップＳ３）。
【００４０】
携帯電話機機１は視聴のための情報を放送局（課金センタ）３から受取ると（図４ステップＳ４）、放送局（課金センタ）３から受取った視聴のための情報を赤外線発光ＬＥＤ１４にてＴＶ受信機２に送信する（図４ステップＳ５）。
【００４１】
図５は図１のＴＶ受信機２の動作を示すフローチャートである。これら図１と図２と図５とを参照してＴＶ受信機２の動作について説明する。図５に示す動作はＴＶ受信機２のコンピュータ上においてプログラム（図示せず）を実行させることで実現することができる。
【００４２】
ＴＶ受信機２は携帯電話機１からリモコン信号を受信すると、有料チャネル表示が命令されたかどうかを判定し（図５ステップＳ１１）、有料チャネルの表示が命令されていないければ、指定されたチャネルを表示し（図５ステップＳ１５）、動作を終了する。
【００４３】
ＴＶ受信機２は有料チャネルの表示が命令されていれば、Ｂ−ＣＡＳカード２３から有料放送加入者情報を読出し、指定された有料チャネルの情報を用いて決められたバイナリのデータを生成し、ＱＲコード、一次元バーコード、二次元バーコード等の画像コードを生成する（図５ステップＳ１２）。
【００４４】
ＴＶ受信機２は生成した画像コードをスクリーン２１上に表示し（図５ステップＳ１３）、視聴のための情報を赤外線リモコン受光部２４にて受信するまで待機する（図５ステップＳ１４）。ＴＶ受信機２は視聴のための情報を受信すると、指定された有料チャネルを表示する（図５ステップＳ１５）。
【００４５】
図６は図１の放送局（課金センタ）３の動作を示すフローチャートである。これら図１と図２と図６とを参照して放送局（課金センタ）３の動作について説明する。図６に示す動作は放送局（課金センタ）３のコンピュータ上においてプログラム（図示せず）を実行させることで実現することができる。
【００４６】
放送局（課金センタ）３は携帯電話機１から視聴要求を受取ると、送られてきたバイナリのデータに含まれる有料放送契約者情報から、有料放送に契約しているかどうかを判断する（図６ステップＳ２１）。放送局（課金センタ）３は有料放送に契約していないと判断すると、視聴不許可を返信し（図６ステップＳ２４）、動作を終了する。
【００４７】
放送局（課金センタ）３は有料放送に契約していると判断すると、有料放送契約者に課金し（図６ステップＳ２２）、視聴のための情報を携帯電話機１に返信し（図６ステップＳ２３）、動作を終了する。
【００４８】
このように、本実施例では、テレビ受信機２にセットされたＢ−ＣＡＳカード２２に記録去れた有料放送契約者情報、番組情報を画像コードとしてスクリーン２１に表示し、その表示された画像コードを携帯電話機１に備わるカメラデバイス１３を使用して読取り、放送局（課金センタ）３に送信することによって、一般電話回線（有線）等の固定回線に接続せず、ワイヤレスにて視聴要求を放送局（課金センタ）３に送信することができる。
【００４９】
また、本実施例では、放送局（課金センタ）３から受取った視聴のための情報を赤外線発光ＬＥＤ１４にてＴＶ受信機２に返信することによって、ＴＶ受信機２はワイヤレスに視聴許可を受けて有料放送を表示することができる。
【００５０】
さらに、本実施例では、テレビ受信機２にセットされたＢ−ＣＡＳカード２２に記録された有料放送契約者情報、番組情報を画像コードとしてスクリーン２１に表示することによって、悪意あるユーザが有料放送契約者情報を改竄して契約者になりすまし、番組を盗聴することを阻止することができる。
【００５１】
さらにまた、本実施例では、携帯電話機１側においてＪａｖａ（Ｒ）アプリケーション１２上で上記の各機能を実現することによって、融通の利くサービス、ユーザインターフェースを提供することができる。
【００５２】
図７は本発明の他の実施例による有料放送課金システムの動作を示すシーケンスチャートである。本発明の他の実施例による有料放送課金システムの構成、そのシステムを構成する携帯電話機１及びＴＶ受信機２の構成は図１及び図２に示す本発明の一実施例と同様の構成となっている。
【００５３】
また、図７は放送局（課金センタ）３が、特定のＢ−ＣＡＳカード２３がセットされているＴＶ受信機２だけで有料放送が視聴可能なようにスクランブル放送を行っている場合に、視聴要求が行われた有料放送加入者に対してスクランブルを解除し、有料放送の視聴を許可する手順を示している。これら図１と図２と図７とを参照して本発明の他の実施例による有料放送課金システムの動作について説明する。
【００５４】
放送局（課金センタ）３が放送波にスクランブルをかけて特定のＴＶ受信機２のみ受信可能なように有料放送番組を提供している場合（図７のｂ１，ｂ２）、携帯電話機１は赤外線発光ＬＥＤ１４にて有料チャネルの表示命令をＴＶ受信機２に対して行う（図７のｂ３，ｂ４）。
【００５５】
ＴＶ受信機２は赤外線リモコン受光部２４にて有料チャネルの表示命令を受信すると、コード画像生成機能２２にてＢ−ＣＡＳカード２３に記録された有料放送契約者情報、指定された有料チャネル等の情報をＱＲコード、一次元バーコード、二次元バーコード等の画像コードに変換し、スクリーン２１に表示する（図７のｂ５）。
【００５６】
携帯電話機１はカメラデバイス１３を起動し、カメラデバイス１３にてスクリーン２１に表示されている画像コードを読取る（図７のｂ６，ｂ７）。携帯電話機１はカメラデバイス１３で読取った画像コードから、有料放送契約者情報、指定された有料チャネル等の情報を含んでいるバイナリのデータを取得する。このバイナリデータはＪａｖａ（Ｒ）アプリケーション１２のＨＴＴＰ通信機能を用いて放送局（課金センタ）３に視聴要求として送信する（図７のｂ８，ｂ９）。
【００５７】
放送局（課金センタ）３は視聴要求を受信すると、有料放送契約者情報から視聴者を判断し、有料チャネルの情報から番組料金を判断し、対象の視聴者に課金する（図７のｂ１０）。
【００５８】
その後、放送局（課金センタ）３は携帯電話機１から送信されたＢ−ＣＡＳカード２２に記録された有料放送加入者情報から、有料放送加入者を特定し、放送波から視聴要求のあった有料放送加入者へのスクランブルを解除する（図７のｂ１１）。その後、スクランブルが解除されたＴＶ受信機２は有料放送の表示が可能となる（図７のａ１２，ａ１３）。
【００５９】
このように、本実施例は、放送局（課金センタ）３が、特定のＢ−ＣＡＳカード２３がセットされているＴＶ受信機２だけで有料放送が視聴可能なようにスクランブル放送を行っている場合に、携帯電話機１から送信されたＢ−ＣＡＳカード２２に記録された有料放送加入者情報から、有料放送加入者を特定し、放送波から視聴要求のあった有料放送加入者へのスクランブルを解除することによっても、本発明の一実施例と同様の効果を得ることができる。
【産業上の利用可能性】
【００６０】
本発明は有料放送の課金システムのほか、ＴＶを利用した通信販売システムにも利用することが可能であり、高速道路等の有料道路における課金と通行許可管理システムとに応用が可能である。
【００６１】
この通行許可管理システムでは、例えば、高速道路の通行料金徴収において、高速道路入り口において既存の発券装置の代わりに、車両ナンバを読取ったデータを画像コード化してモニタに表示する装置を用意し、それを携帯電話機で読取り、課金センタに送信し、課金センタから通行許可のデータを受取る。
【００６２】
また、通行許可管理システムでは、高速道路の出口で、通行許可のデータを赤外線リモコン機能によって受取る装置を用意し、通行許可のデータを赤外線リモコン機能を使用して送信し、高速道路の出口のゲートを開くようにしている。
【図面の簡単な説明】
【００６３】
【図１】本発明の一実施例による有料放送課金システムの構成を示すブロック図である。
【図２】図１の携帯電話機及びＴＶ受信機の構成を示すブロック図である。
【図３】本発明の一実施例による有料放送課金システムの動作を示すシーケンスチャートである。
【図４】図１の携帯電話機の動作を示すフローチャートである。
【図５】図１のＴＶ受信機の動作を示すフローチャートである。
【図６】図１の放送局（課金センタ）の動作を示すフローチャートである。
【図７】本発明の他の実施例による有料放送課金システムの動作を示すシーケンスチャートである。
【図８】従来例による有料放送課金システムの構成を示すブロック図である。
【符号の説明】
【００６４】
１  携帯電話機
２  ＴＶ受信機
３  放送局（課金センタを含む）
１１  プラットフォーム
１２  Ｊａｖａ（Ｒ）アプリケーション
１３  カメラデバイス（コード認識機能）
１４  赤外線発光ＬＥＤ（赤外線リモコン機能）
２１  スクリーン
２２  コード画像生成機能
２３  Ｂ−ＣＡＳカード
２４  赤外線リモコン受光部
【図１】
2005117356.tif 000003
【図２】
2005117356.tif 000004
【図３】
2005117356.tif 000005
【図４】
2005117356.tif 000006
【図５】
2005117356.tif 000007
【図６】
2005117356.tif 000008
【図７】
2005117356.tif 000009
【図８】
2005117356.tif 000010